(57)【要約】【課題】適切に高さを調整できる筐体、および、その筐体の高さ調整に用いられる調整枠を提供する。【解決手段】筐体１は、上枠３、この上枠３より下方に配置された枠体４、および、この枠体４より下方に配置された底板５を有する筐体本体２を備える。また、筐体本体２の上部に開口部６を設け、かつ、側部の一部に水道管が挿通される管挿通部７を設ける。そして、筐体１は、筐体本体２に設置される調整枠９を備える。調整枠９は、上枠３と枠体４との間および枠体４と底板５との間の少なくともいずれかに設置可能な調整枠本体21と、この調整枠本体21に切除可能に設けられた少なくとも２つの封止片とを備える。このような調整枠９は、封止片が切除されていない状態で上枠３と枠体４との間に設置されるか、または、封止片が切除された状態で枠体４と底板５との間に設置される。【選択図】図１
2019214908.tif 000002
【特許請求の範囲】
【請求項１】
上枠、この上枠より下方に配置された枠体およびこの枠体より下方に配置された底板を有し、上部に開口部が設けられかつ側部の一部に水道管が挿通される管挿通部が設けられた筐体本体と、前記開口部を開閉する蓋体とを備えた筐体に設置される調整枠であって、
前記上枠と前記枠体との間および前記枠体と前記底板との間の少なくともいずれかに設置可能な調整枠本体と、
この調整枠本体に切除可能に設けられた少なくとも２つの切除可能部とを備え、
前記調整枠本体から前記切除可能部が切除されていない状態で前記上枠と前記枠体との間に設置されるか、または、前記調整枠本体から前記切除可能部が切除された状態で前記枠体と前記底体との間に設置される
ことを特徴とする調整枠。
【請求項２】
調整枠本体は、２つの調整枠構成部材で構成され、
前記各調整枠構成部材は、第１の構成部と、この第１の構成部の一端部に接続された第２の構成部と、前記第１の構成部の他端部に接続され前記第２の構成部と対向する第３の構成部とを有し、
切除可能部は、前記第３の構成部における前記第１の構成部とは反対側の端部に設けられ、
前記調整枠本体が上枠と枠体との間に設置された状態では、一の調整枠構成部材の前記切除可能部が、他の調整枠構成部材の前記第２の構成部における前記第１の構成部とは反対側の端部に対向するように配置される
ことを特徴とする請求項１記載の調整枠。
【請求項３】
調整枠本体が筐体本体に設置された状態にて、各調整枠構成部材と前記調整枠本体の下側に位置する枠体または底板との間に配置される調整部材を有する
ことを特徴とする請求項１または２記載の調整枠。
【請求項４】
上枠、この上枠より下方に配置された枠体およびこの枠体より下方に配置された底板を有し、上部に開口部が設けられかつ側部の一部に水道管が挿通される管挿通部が設けられた筐体本体と、
前記開口部を開閉する蓋体と、
請求項１ないし３いずれか一記載の調整枠とを具備し、
調整枠本体から切除可能部が切除された調整枠が前記枠体と前記底体との間に設置された状態において、
前記調整枠から切除された切除可能部を用いて被覆部材が構成され、
水道管が挿通された管挿通部における前記水道管より下側の少なくとも一部が、前記被覆部材によって被覆される
ことを特徴とする筐体。
【請求項５】
上枠、この上枠より下方に配置された枠体およびこの枠体より下方に配置された底板を有し、上部に開口部が設けられかつ側部の一部に水道管が挿通される管挿通部が設けられた筐体本体と、前記開口部を開閉する蓋体とを具備した筐体における高さを調整する調整方法であって、
前記上枠と前記枠体との間および前記枠体と前記底板との間の少なくともいずれかに調整枠を設置する
ことを特徴とする調整方法。
【請求項６】
調整枠は、調整枠本体と、この調整枠本体に切除可能に設けられた少なくとも２つの切除可能部とを有し、
前記調整枠を枠体と底板との間に設置する場合には、前記調整枠本体から前記切除可能部を切除する
ことを特徴とする請求項５記載の調整方法。
【発明の詳細な説明】
【技術分野】
【０００１】
本発明は、高さ調整可能な筐体、この筐体の高さ調整に用いられる調整枠、および、筐体の高さを調整する調整方法に関する。
【背景技術】
【０００２】
従来、水道管を挿通可能で例えば内部に水道メータを収容するための筐体としては、例えば特許文献１の構成が知られている。
【０００３】
特許文献１の筐体は、上枠と枠体と底板とが上下方向に順次配置され上部に開口部を有する筐体本体と、この筐体本体に着脱可能に設けられ開口部を開閉する蓋体とを具備し、筐体本体の側部の一部に、水道管が挿通可能な管挿通用凹部が設けられている。
【０００４】
この種の筐体は、筐体本体が地中に埋設されるため、設置前に予め筐体本体の高さを地表面の高さに一致するように調整しておくことにより、蓋体を地表面に対して適切な位置に配置できる。
【０００５】
しかしながら、新規に筐体を設置する場合においても、当初予定していた蓋体の高さと、施工後の地表面の高さとが一致しないことが生じ得るため、その場合には、筐体の高さを微調整する必要がある。
【０００６】
このように筐体の高さを微調整する技術としては、例えば特許文献２ないし特許文献４の構成が知られている。
【０００７】
特許文献２の構成では、枠体と底板との間において、係合突起と係合凹所とを備える一対の調節片を、水道管挿入孔を中心に左右に配置することにより、枠体と底板とを固定しつつ、その高さを調節する。
【０００８】
特許文献３の構成では、筐体の上部に嵌合される蓋受け枠が鍔部を備えており、高さ位置を調整する際には、鍔部を受ける位置の土を締め固めた後、その締め固めた箇所にて蓋受け枠が支持されて蓋受け枠の高さ位置が保持される。
【０００９】
特許文献４の構成では、筐体の上端面にナットを螺合したボルトが挿通され、蓋受け枠の鍔部がボルトの頭部にて支持されるため、そのボルトの螺合量に基づきボルトの頭部の高さを調整することにより、蓋体の高さを調整する。
【００１０】
ここで、筐体の高さ調整が必要な場合としては、上述の新規に筐体を設置する場合の他に、地震や経時の押圧により既設の筐体が沈下した場合等がある。
【００１１】
また、筐体の沈下の場合には、蓋体が地表面よりも沈下し段差が生じるというだけでなく、筐体の沈下によって、筐体における管挿通部が水道管の位置に対して相対的に下方に移動してしまう。そして、このような沈下が進行すると、水道管と管挿通部の上端縁部とが当接し、この状態で何らかの要因で筐体の上方から加重されると、水道管に負荷が加わる可能性がある。
【先行技術文献】
【特許文献】
【００１２】
【特許文献１】特開２０１６−２１７００２号公報
【特許文献２】実公昭６０−１６６７４号公報
【特許文献３】特開平５−１１８０５９号公報
【特許文献４】特開平６−１２８９８８号公報
【発明の概要】
【発明が解決しようとする課題】
【００１３】
特許文献２の構成では、筐体が沈下した場合には対応できるが、新規に筐体を設置する場合の微調整においても、不必要に管挿通部が大きくなり、管挿通部と水道管との隙間を埋めるための新たな部品が必要になる。
【００１４】
特許文献３および特許文献４の構成では、新規に筐体を設置する場合の高さの調整や、筐体の沈下によって生じる段差の調整には対応できるが、筐体本体に対する蓋体の高さを調整するものであるため、筐体の沈下による管挿通部と水道管との接触には対応できない。
【００１５】
そのため、新規に設置される筐体の高さを調整する場合、および、既設の筐体の高さを調整する場合のいずれであっても、適切に筐体の高さを調整できる技術が求められていた。
【００１６】
本発明はこのような点に鑑みなされたもので、適切に高さを調整できる筐体、その筐体の高さ調整に用いられる調整枠、および、調整方法を提供することを目的とする。
【課題を解決するための手段】
【００１７】
請求項１に記載された調整枠は、上枠、この上枠より下方に配置された枠体およびこの枠体より下方に配置された底板を有し、上部に開口部が設けられかつ側部の一部に水道管が挿通される管挿通部が設けられた筐体本体と、前記開口部を開閉する蓋体とを備えた筐体に設置される調整枠であって、前記上枠と前記枠体との間および前記枠体と前記底板との間の少なくともいずれかに設置可能な調整枠本体と、この調整枠本体に切除可能に設けられた少なくとも２つの切除可能部とを備え、前記調整枠本体から前記切除可能部が切除されていない状態で前記上枠と前記枠体との間に設置されるか、または、前記調整枠本体から前記切除可能部が切除された状態で前記枠体と前記底体との間に設置されるものである。
【００１８】
請求項２に記載された調整枠は、請求項１記載の調整枠において、調整枠本体は、２つの調整枠構成部材で構成され、前記各調整枠構成部材は、第１の構成部と、この第１の構成部の一端部に接続された第２の構成部と、前記第１の構成部の他端部に接続され前記第２の構成部と対向する第３の構成部とを有し、切除可能部は、前記第３の構成部における前記第１の構成部とは反対側の端部に設けられ、前記調整枠本体が上枠と枠体との間に設置された状態では、一の調整枠構成部材の前記切除可能部が、他の調整枠構成部材の前記第２の構成部における前記第１の構成部とは反対側の端部に対向するように配置されるものである。
【００１９】
請求項３に記載された調整枠は、請求項１または２記載の調整枠において、調整枠本体が筐体本体に設置された状態にて、各調整枠構成部材と前記調整枠本体の下側に位置する枠体または底板との間に配置される調整部材を有するものである。
【００２０】
請求項４に記載された筐体は、上枠、この上枠より下方に配置された枠体およびこの枠体より下方に配置された底板を有し、上部に開口部が設けられかつ側部の一部に水道管が挿通される管挿通部が設けられた筐体本体と、前記開口部を開閉する蓋体と、請求項１ないし３いずれか一記載の調整枠とを具備し、調整枠本体から切除可能部が切除された調整枠が前記枠体と前記底体との間に設置された状態において、前記調整枠から切除された切除可能部を用いて被覆部材が構成され、水道管が挿通された管挿通部における前記水道管より下側の少なくとも一部が、前記被覆部材によって被覆されるものである。
【００２１】
請求項５に記載された調整方法は、上枠、この上枠より下方に配置された枠体およびこの枠体より下方に配置された底板を有し、上部に開口部が設けられかつ側部の一部に水道管が挿通される管挿通部が設けられた筐体本体と、前記開口部を開閉する蓋体とを具備した筐体における高さを調整する調整方法であって、前記上枠と前記枠体との間および前記枠体と前記底板との間の少なくともいずれかに調整枠を設置するものである。
【００２２】
請求項６に記載された調整方法は、請求項５記載の調整方法において、調整枠は、調整枠本体と、この調整枠本体に切除可能に設けられた少なくとも２つの切除可能部とを有し、前記調整枠を枠体と底板との間に設置する場合には、前記調整枠本体から前記切除可能部を切除するものである。
【発明の効果】
【００２３】
本発明によれば、調整枠が、調整枠本体から切除可能部が切除されていない状態で上枠と枠体との間に設置されるか、または、調整枠本体から切除可能部が切除された状態で枠体と底体との間に設置されるため、適切に筐体の高さを調整できる。
【図面の簡単な説明】
【００２４】
【図１】本発明の一実施の形態に係る筐体において、枠体と底板との間に調整枠が設置された構成を示す分解斜視図である。
【図２】同上筐体において、上枠と枠体との間に調整枠が設置された構成を示す分解斜視図である。
【図３】同上筐体における調整枠を示す斜視図である。
【図４】同上筐体における調整枠を構成する調整枠構成部材を示す斜視図である。
【図５】同上筐体において、枠体の上側に調整枠が設置された状態を概略的に示す断面図である。
【発明を実施するための形態】
【００２５】
以下、本発明の一実施の形態の構成について図面を参照しながら詳細に説明する。
【００２６】
図１は、一実施の形態の筐体１の分解斜視図であり、この筐体１は、例えば量水器等の図示しない地下構造物を保護する地下構造物保護箱（量水器ボックス）である。
【００２７】
筐体１は、上枠３と、この上枠３より下側に配置された枠体４と、この枠体４より下側に配置された底板５とを有する筐体本体２とを備えている。
【００２８】
この筐体本体２は、上部に開口部６が設けられ、かつ、側部の一部に図示しない水道管が挿通される管挿通部７が設けられている。また、筐体本体２の上部には、開口部６を開閉する蓋体８が設けられている。
【００２９】
また、筐体１は、図１に示すように枠体４と底板５との間、または、図２に示すように上枠３と枠体４との間に設置される調整枠９を備えている。
【００３０】
上枠３は、平面視矩形環状で上下方向に開口された枠部材であり、上部に開口部６を有している。また、上枠３の開口部６には、この開口部６を開閉可能な板状の蓋体８が、着脱可能でかつ回動可能に取り付けられている。すなわち、蓋体８を回動することで開口部６が開閉される。
【００３１】
枠体４は、４側面を有する平面視矩形環状で、上下方向に開口された四角筒状である。そして、枠体４の上側には、図１に示すように上枠３が設置されるか、または、図２に示すように調整枠９が設置される。
【００３２】
また、枠体４における平面視で長手方向の両端部に位置する側面には、下端縁部から上方への切欠状の上側開口11が設けられている。
【００３３】
底板５は、上方へ向けて開口され、底部に底面をする有底四角筒状である。そして、図１に示すように調整枠９の下側に底板５が設置されるか、図２に示すように枠体４の下側に底板５が設置されることで、筐体本体２の下側が閉塞される。
【００３４】
また、底板５における平面視で長手方向の両端部に位置する側面には、枠体４の上側開口11に対応する位置に、上端部から下方への切欠状の下側開口12が設けられている。
【００３５】
そして、図２に示すように枠体４の下側に底板５が設置された場合には、枠体４の上側開口11と底板５の下側開口12とによって管挿通部７が構成される。また一方、図１に示すように枠体４の下側に調整枠９が設置され、その調整枠９の下側に底板５が設置された場合には、枠体４の上側開口11と、後述の調整枠９におけるスペースと、底板５の下側開口12とで管挿通部７が構成される。
【００３６】
図１に示すように、上枠３と枠体４とは、枠体４の上端縁部に設けられた複数の組立突起13と、上枠３の下端縁部に設けられた図示しない複数の組立凹部とが嵌合されることで取外可能に組み付けられる。なお、図２に示すように上枠３と枠体４との間に調整枠９が設置される場合には、上枠３と調整枠９とが取外可能に組み付けられるとともに、調整枠９と枠体４とが取外可能に組み付けられる。
【００３７】
図２に示すように、枠体４と底板５とは、上枠３の下端縁部に設けられた図示しない複数の組立凹部と、底板５の上端縁部に設けられた複数の組立突起14とが嵌合されることで取外可能に組み付けられる。なお、図１に示すように、枠体４と底板５との間に調整枠９が設置される場合には、枠体４と調整枠９とが取外可能に組み付けられるとともに、調整枠９と底板５とが取外可能に組み付けられる。
【００３８】
蓋体８は、この蓋体８を上枠３に対して回動させる際に支軸となる凹部15を有している。この蓋体８に凹部15は、上枠３の内周面に設けられた凸部16と係脱可能に係合する。すなわち、蓋体８の凹部15と上枠３の凸部16とが回動可能に係合されることで、蓋体８は上枠３の開口部６に対して開閉可能となる。
【００３９】
図３に示すように、調整枠９は、平面視矩形環状の調整枠本体21を備えている。この調整枠本体21は、平面視にて、上枠３の下端縁部、枠体４の上端縁部、枠体４の下端縁部、および、底板５の上端縁部の形状に対応している。
【００４０】
調整枠本体21は、複数（例えば２つ）の調整枠構成部材22で構成されている。すなわち、平面視で略コ字状の調整枠構成部材22を組み合わせることで、平面視で矩形環状の調整枠本体21が構成される。
【００４１】
図４に示すように、各調整枠構成部材22は、平面視で矩形環状の調整枠本体21における短手方向の一側面となる第１の構成部23と、この第１の構成部23の一端部に接続され調整枠本体21の長手方向の一側面となる第２の構成部24と、第１の構成部23の他端部に接続され調整枠本体21の長手方向の他側面となる第３の構成部25とを有している。
【００４２】
第１の構成部23の下端縁部には、枠体４の組立突起13または底板５の組立突起14と嵌合可能な固定部としての図示しない組立凹部が設けられている。また、第２の構成部24および第３の構成部25の上端縁部には、上枠３の内側面の一部または枠体４の内側面の一部に引っ掛かるように係合可能な固定部としての爪部26が設けられている。
【００４３】
すなわち、図１に示すように、調整枠９が枠体４と底板５との間に設置される場合には、底板５の組立突起14と調整枠構成部材22の組立凹部とが嵌合し、調整枠構成部材22の爪部26が枠体４の内側面の所定箇所に係合することで、調整枠構成部材22が筐体本体２に対して固定される。また一方、図２に示すように、調整枠９が上枠３と枠体４との間に設置される場合には、枠体４の組立突起13と調整枠構成部材22の組立凹部とが嵌合し、調整枠構成部材22の爪部26が上枠３の内側面の所定箇所に係合することで、各調整枠構成部材22が筐体本体２に対して固定される。
【００４４】
図５に示すように、調整枠構成部材22は、筐体本体２に設置された状態で、枠体４または底板５の上側に載置される基部27と、この基部27の内周面側に位置し基部27より下方に突出する突出部28を有している。
【００４５】
また、各調整枠構成部材22を組み合わせて調整枠本体21を構成した状態における突出部28の外周面の周方向の長さは、枠体４および底板５の上側の開口の内周面の周方向の長さよりやや短い。すなわち、突出部28は、調整枠本体21が筐体本体２に設置された状態において、その調整枠本体21の下側に位置する枠体４または底板５の内側に挿入されている。
【００４６】
このように、筐体本体２に調整枠９を設置する際に、突出部28が枠体４または底板５の内側に挿入されることで、突出部28は、調整枠９の下側に配置される枠体４または底板５に対するガイドとして作用する。
【００４７】
また、調整枠９は、筐体本体２に設置された状態にて、調整枠構成部材22における基部27と調整枠９の下側に位置する枠体４または底板５との間に配置されるように調整部材としてのパッキン29が取り付けられた構成、すなわち、調整枠本体21がパッキン29を介して筐体本体２に取り付けられる構成が好ましい。
【００４８】
第３の構成部25における第１の構成部23とは反対側の端部には、切除可能部としての封止片31が切除可能に設けられている。
【００４９】
そして、一の調整枠構成部材22の封止片31が、他の調整枠構成部材22の第２の構成部24における第１の構成部23とは反対側の端部と対向して接触するように配置されることで、２つの調整枠構成部材22によって、平面視で矩形環状の調整枠本体21が構成される。
【００５０】
封止片31の内側面には、調整枠構成部材22の第３の構成部25から封止片31を切除しやすいように、切除補助部としての溝状のスリット部32が設けられている。
【００５１】
すなわち、封止片31は、調整枠構成部材22の第３の構成部25の一端部に一体に設けられた外側部33と、この外側部33の内側に位置しスリット部32によって第３の構成部25の一端部から離間した内側部34とを有している。なお、内側部34は、筐体本体２の管挿通部７の底部（下側周縁部）の形状に対応している。
【００５２】
そして、調整枠９は、図１に示すように調整枠本体21から封止片31が切除された状態で枠体４と底板５との間に設置されるか、または、図２に示すように、調整枠本体21から封止片31が切除されていない状態で上枠３と枠体４との間に設置される。
【００５３】
また、封止片31は、調整枠本体21から切除された状態において、筐体本体２の管挿通部７の一部を被覆する被覆部材として利用可能である。
【００５４】
ここで、通常、管挿通部７と水道管との隙間は、図示しない土留め板等によって被覆するように閉塞されるが、図１に示すように封止片31が切除された状態の調整枠９が枠体４と底板５との間に設置されると、調整枠９における封止片31が切除されたスペースの分だけ、管挿通部７が大きくなるため、管挿通部７と水道管との隙間を通常の土留め板だけでは閉塞できなくなる可能性がある。
【００５５】
このように管挿通部７と水道管との隙間を土留め板だけでは閉塞できない場合には、その隙間を被覆する被覆部材として封止片31が利用される。
【００５６】
また、封止片31は、内側部34が管挿通部７の底部の形状に対応しているため、切除された封止片31の内側部34を管挿通部７の底部に嵌め込み、その内側を封止片31の外側部33で覆うようにして取り付けることができる。
【００５７】
次に、調整枠９を用いた筐体１の高さの調整方法を説明する。
【００５８】
まず、既設の筐体１が地震や経時の押圧等によって、水道管に対して相対的に筐体１が沈下して高さの微調整が必要な場合には、管挿通部７と水道管との接触を防止するために、図１に示すように、筐体本体２における枠体４と底板５との間に調整枠９と設置する。なお、この場合には調整枠本体21から封止片31が切除された状態の調整枠９を用いる。
【００５９】
枠体４と底板５との間に調整枠９を設置する際には、筐体１の周囲を掘り返し、底板５から枠体４を取り外す。
【００６０】
枠体４が取り外された状態の底板５に組立突起14と各調整枠構成部材22の組立凹部とを嵌合させて、底板５の上側に各調整枠構成部材22を固定することで、それら各調整枠構成部材22で構成された調整枠本体21を筐体本体２に取り付ける。
【００６１】
また、底板５の上側に設置された調整枠本体21の爪部26を枠体４の内周面における所定箇所に係合させることで、調整枠９の上側に枠体４および上枠３を順次固定して取り付け、その後、筐体１の周囲を埋め戻す。なお、調整枠９の上側に枠体４を取り付ける際には、枠体４のみを取り付けても、上側に予め上枠３が取り付けられた状態の枠体４を調整枠９に取り付けてもよい。
【００６２】
枠体４と底板５との間に封止片31が切除された調整枠９を設置すると、通常、枠体４の上側開口11と底板５の下側開口とで構成される管挿通部７が、調整枠９における封止片31が切除されたスペースの分だけ、管挿通部７が上下方向に大きくなるため、管挿通部７の略中心に水道管を配置できる。
【００６３】
なお、調整枠９で高さ調整して管挿通部７が大きくなると、管挿通部７と水道管との隙間（特に管挿通部７における水道管より下側の隙間）を通常の土留め板では閉塞できなくなる可能性があり、その場合には、調整枠９から切除した封止片31を被覆部材として用いて、その隙間を閉塞することが好ましい。
【００６４】
このように筐体本体２における枠体４と底板５との間に調整枠９を設置することで、筐体１における蓋体８の高さが地表面に一致するように筐体１の高さを微調整できるとともに、管挿通部７に対して水道管を適切な位置に配置できる。
【００６５】
次に、新規に設置した筐体１の高さが地表面より低く高さの微調整が必要な場合、または、既設の筐体１が地震や経時の押圧によって沈下し、地表面に対して段差が生じて高さの微調整が必要な場合（管挿通部７と水道管とが接触するおそれがない場合）には、図２に示すように、筐体本体２における上枠３と枠体４との間に調整枠９を設置する。なお、この場合には調整枠本体21から封止片が切除されていない状態の調整枠９を用いる。
【００６６】
上枠３と枠体４との間に調整枠９を設置する際には、筐体１の周囲を掘り返し、枠体４から上枠３を取り外す。
【００６７】
上枠３を取り外された枠体４の組立突起13と各調整枠構成部材22の組立凹部とを嵌合させて、枠体４の上側に調整枠９を固定して取り付ける。
【００６８】
また、枠体４の上側に設置された調整枠９の爪部26を上枠３の内周面における所定箇所に係合させて、調整枠９の上側に上枠３を固定して取り付け、その後、筐体１の周囲を埋め戻す。
【００６９】
このように筐体本体２における上枠３と枠体４との間に調整枠９を設置することで、枠体４および底板５に対して上枠３および上枠３の高さが高くなり、筐体１における蓋体８の高さが地表面に一致するように筐体１の高さを微調整できる。
【００７０】
次に、上記一実施の形態の効果を説明する。
【００７１】
上記調整枠９および筐体１によれば、調整枠９が、調整枠本体21から封止片31が切除されていない状態で上枠３と枠体４との間に設置されるか、または、調整枠本体21から封止片31が切除された状態で枠体４と底板５との間に設置されるため、新規に筐体１を設置する際および既設の筐体１を改修する際のいずれであっても、適切に筐体１の高さを調整できる。
【００７２】
封止片31は、調整枠本体21との境界部分に溝状のスリット部32が設けられていることにより、調整枠本体21から切除する際にスリット部32が目印になるとともに、封止片31の外側部33を切断するだけでよいので、調整枠本体21から封止片31を切除しやすくできる。
【００７３】
また、封止片31は調整枠本体21と一体の外側部33を有することにより、封止片31が切除されずに筐体本体２に設置された場合において、筐体１の使用時（筐体１が埋設された状態の場合）や施工時（埋め戻し時）における土砂等の筐体１内への流入を外側部33によって防止できる。
【００７４】
さらに、封止片31の内側部34が筐体本体２における管挿通部７の底部の形状に対応していることにより、切除された封止片31を管挿通部７の被覆部材として使用する場合に、管挿通部７に対する封止片31の密閉性を向上できる。
【００７５】
調整枠構成部材22が筐体本体２に固定可能な固定部としての組立凹部および爪部26を有するため、施工時（埋め戻し時）等に筐体本体２に対する調整枠９の位置ずれや隙間の発生を防止できるとともに、筐体１としての一体感（密閉性）を向上できる。
【００７６】
調整枠構成部材22は、基部27より下方に突出する突出部28を有することにより、筐体本体２に調整枠９を設置する際には、突出部28により案内されて、筐体本体２に対して適切に位置決めできる。すなわち、突出部28が調整枠９の下側に位置する枠体４または底板５の上端縁部の内側に挿入されることで調整枠９が筐体本体２に対して位置決めされる。また、筐体本体２に調整枠９が設置された状態では、筐体本体２に対する調整枠９の一体感を向上できるとともに、がたつき等が生じることを防止できる。
【００７７】
調整枠本体21がパッキン29を介して筐体本体２に取り付けられることで、筐体本体２に対して調整枠９を水密に取り付けることができるとともに、パッキン29の大きさや形状に応じて若干の位置調整や高さ調整ができる。
【００７８】
調整枠本体21から切除された封止片31を、管挿通部７の一部を閉塞する被覆部材として利用することで、設置する際に切除した封止片31を有効利用できる。
【００７９】
なお、上記一実施の形態では、調整枠９が２つの調整枠構成部材22で構成されるものとしたが、このような構成には限定されず、調整枠９は、筐体本体２における上枠３と枠体４との間または枠体４と底板５との間に設置可能な構成であればよい。また、調整枠９は、図１のように枠体４と底板５との間、または、図２のように上枠３と枠体４との間に配置された構成には限定されず、必要に応じて、上枠３と枠体４との間および枠体４と底板５との間の両方に調整枠９を設置してもよい。
【００８０】
調整枠構成部材22は、筐体本体２に固定可能な組立凹部および爪部26を有する構成には限定されず、調整枠本体21の筐体本体２に対する組み付け方法は適宜変更できる。
【００８１】
また、調整枠構成部材22は下方に突出する突出部28を有する構成には限定されず、突出部28を有していない構成にしてもよい。なお、調整枠構成部材22が突出部28を有する構成の場合には、その突出部28が枠体４または底板５の内側に挿入可能な構成であれば、調整枠構成部材22における突出部28の位置や、突出部28の形状は適宜変更できる。
【００８２】
調整枠本体21は、調整部材としてのパッキン29を介して筐体本体２に取り付けられた構成としたがこのような構成には限定されず、パッキン29が取り付けられていない構成としてもよい。なお、調整部材としてはパッキンではなく、例えばスペーサ等のように筐体本体２に対する調整枠本体21の位置や高さを調整できるものであれば適宜適用できる。
【００８３】
封止片31は、調整枠構成部材22における第３の構成部25の端部に設けられた構成には限定されず、調整枠本体21から切除可能であれば調整枠本体21における封止片31の位置は適宜変更できる。
【００８４】
また、封止片31は、切除補助部として溝状のスリット部32が設けられた構成には限定されず、スリット部32が設けられていない構成にしてもよい。なお、スリット部32が設けられた構成の場合では、スリット部32の形状や位置は適宜変更できる。
【００８５】
切除された封止片31を被覆部材として利用される構成には限定されず、封止片31とは別に被覆部材を準備してもよい。
【００８６】
また、封止片31を被覆部材として利用する場合には、その封止片31が管挿通部７の底部の形状に対応した内側部34を有する構成には限定されず、封止片31の構成は適宜変更できる。
【符号の説明】
【００８７】
１    筐体
２    筐体本体
３    上枠
４    枠体
５    底板
６    開口部
７    管挿通部
８    蓋体
９    調整枠
21    調整枠本体
22    調整枠構成部材
23    第１の構成部
24    第２の構成部
25    第３の構成部
29    調整部材としてのパッキン
31    切除可能部としての封止片
【図１】
2019214908.tif 000003
【図２】
2019214908.tif 000004
【図３】
2019214908.tif 000005
【図４】
2019214908.tif 000006
【図５】
2019214908.tif 000007